(57)【要約】【課題】新規皮膚バリアー機能回復促進剤の提供。【解決手段】本発明は、細胞内サイクリックＡＭＰ（ｃＡＭＰ）の活性又はその産生を抑制する化合物を含有する皮膚バリアー機能回復促進剤及び皮膚バリアー機能回復促進活性を有する物質のスクリーニング方法を提供する。【選択図】      なし【特許請求の範囲】
【請求項１】
細胞内サイクリックＡＭＰ（ｃＡＭＰ）の活性又はその産生を抑制する化合物を含有することを特徴とする、皮膚バリアー機能回復促進剤。
【請求項２】
細胞内ｃＡＭＰの活性を抑制する化合物がｃＡＭＰアンタゴニストである、請求項１記載の皮膚バリアー機能回復促進剤。
【請求項３】
前記ｃＡＭＰアンタゴニストがｃＡＭＰ  Ｒｐ（（Ｒ）−アデノシン，サイクリック３′，５′−（ハイドロジェンホスホロチオエート）トリエチルアンモニウム）である、請求項２記載の皮膚バリアー機能回復促進剤。
【請求項４】
細胞内ｃＡＭＰの産生を抑制する化合物がメラトニン受容体、ドーパミン受容体２、３及び４型、セロトニン受容体５−ＨＴ１、ムスカリン受容体２及び４型、カンナビノイド受容体、代謝型グルタミン酸受容体２及び３型並びにオピオイド受容体から成る群から選ばれるＧタンパク質連携受容体のアゴニストである、請求項１記載の皮膚バリアー機能回復促進剤。
【請求項５】
前記アゴニストがメラトニン（Ｎ−アセチル−５−メトキシトリプタミン）、ブロモクリプチン（（５′α）−２−ブロモ−１２′−ヒドロキシ−２′−（１−メチルエチル）−５′−（２−メチルプロピル）エルゴタマン−３′，６′−１８−トリオンメシレート）、（−）−キンピロール塩酸塩（（４ａＲ−ｔｒａｎｓ）−４，４ａ，５，６，７，８，８ａ，９−オクタヒドロ−５−プロピル−１Ｈ−ピラゾロ［３，４−ｇ］キノリン塩酸塩）、（＋）−ＰＤ１２８９０７（（Ｓ）−（＋）−（４ａＲ，１０ｂＲ）−３，４，４ａ，１０ｂ−テトラヒドロ−４−プロピル−２Ｈ，５Ｈ−［１］ベンゾピラノ−［４，３−ｂ］−１，４−オキサジン−９−オール）、ＰＤ１６８０７７（Ｎ−（メチル−４−（２−シアノフェニル）ピペラジニル−３−メチルベンズアミド）、（Ｒ）−（＋）−８−ヒドロキシＤＰＡＴ（（２Ｒ）−（＋）−８−ヒドロキシ−２−（ジ−ｎ−プロピルアミノ）テトラリン）、８−ヒドロキシＰＩＰＡＴ（（ＲＳ）−ｔｒａｎｓ−８−ヒドロキシ−２−［Ｎ−ｎ−プロピル−Ｎ−（３′−ヨード−２′プロペニル）アミノ］テトラリン）、ＭＤＬ７３００５ＥＦ（８−［２−（１，４−ベンゾジオキサン−２−イルメチルアミノ）エチル］−８−アザスピロ［４，５］デカン−７，９−ジオン）、ＢＰ−５５４（１−［３−（３，４−メチレンジオキシフェノキシ）プロピル］−４−フェニル−ピペラジン）、５−カルボキシアミドトリプタミン、アセクリジン、オキソトレモリン、ＡＣＥＡ（アラキドニル−２′−クロロエチルアミドＮ−（２−クロロエチル）−５Ｚ，８Ｚ，１１Ｚ，１４Ｚ−エイコサテトラエナミド）、ＡＣＰＡ（アラキドニルシクロプロピルアミドＮ−（シクロプロピル）−５Ｚ，８Ｚ，１１Ｚ，１４Ｚ−エイコサテトラエナミド）、ＣＰ５５９４０（（−）−ｃｉｓ−３−［２−ヒドロキシ−４−（１，１−ジメチルヘプチル）フェニル］−ｔｒａｎｓ−４−（３−ヒドロキシプロピル）シクロヘキサノール）、ＨＵ２１０（（６ａＲ）−ｔｒａｎｓ−３−（１，１−ジメチルヘプチル）−６ａ，７，１０，１０ａ−テトラヒドロ−１−ヒドロキシ−６，６−ジメチル−６Ｈ−ジベンゾ［ｂ，ｄ］ピラン−９−メタノール）、ＤＣＧ−ＩＶ（（２Ｓ，２′Ｒ，３′Ｒ）−２−（２′，３′−ジカルボキシシクロプロピル）グリシン）、Ｌ−ＣＣＧ−Ｉ（（２Ｓ，１′Ｓ，２′Ｓ）−２−（カルボキシシクロプロピル）グリシン、Ｌ−ＡＰ４（Ｌ−（＋）−２−アミノ−４−ホスホノ酪酸）、（Ｓ）−３，４−ＤＣＰＧ（（Ｓ）−３，４−ジカルボキシフェニルグリシン）、エンドモルフィン、ＤＡＭＧＯ（［Ｄ−Ａｌａ２  ＮＭｅ−Ｐｈｅ４  ，Ｇｌｙ−ｏｌ５  ］−エンケファリンＤＡＧＯ）、ＳＮＣ８０（（＋）−４−［（αＲ）−α−（（２Ｓ，５Ｒ）−４−アリル−２，５−ジメチル−１−ピペラジニル）−３−メトキシベンジル］−Ｎ，Ｎ−ジエチルベンズアミド）、Ｕ−５０４８８（ｔｒａｎｓ−（±）−３，４−ジクロロ−Ｎ−メチル−Ｎ−［２−（１−ピロリジニル）シクロヘキシル］ベンゼンアセトアミド）、ＳＢ２０５６０７（２−メチル−４ａａ−（３−ヒドロキシフェニル）−１，２，３，４，４ａ，５，１２，１２ａα−オクタヒドロキノリノ［２，３��３−ｇ］イソキノリン）、ＢＲＬ−５２５３７（（±）−１−（３，４−ジクロロフェニル）アセチル−２−（１−ピロリジニル）メチルピペリジン）
から成る群から選ばれる、請求項４記載の皮膚バリアー機能回復促進剤。
【請求項６】
細胞内ｃＡＭＰの産生を抑制する化合物がドーパミン受容体１及び５型、セロトニン受容体５−ＨＴ４及び５−ＨＴ７、アドレナリン受容体β型から成る群から選ばれるＧタンパク質連携受容体のアンタゴニストである、請求項１記載の皮膚バリアー機能回復促進剤。
【請求項７】
前記アンタゴニストが
ＳＣＨ２３３９０（（Ｒ）−（＋）−７−クロロ−８−ヒドロキシ−３−メチル−１−フェニル−２，３，４，５−テトラヒドロ−１Ｈ−３−ベンズアゼピン）、ＣＹ２０８−２４３（（−）−（６ａＲ，１２ｂＲ）−４，６，６ａ，７，８，１２ｂ−ヘキサヒドロ−７−メチルインドロ［４，３−ａ］フェナンスリジン）、ＧＲ１１３８０８（１−メチル−１Ｈ−インドール−３−カルボン酸，［１−［２−［（メチルスルホニル）アミノ］エチル］−４−ピペリジニル］メチルエステル）、ＲＳ３９６０４（１−［４−アミノ−５−クロロ−２−（３，５−ジメトキシフェニル）メチルオキシ］−３−［１−［２−メチルスルホニルアミノ］エチル］ピペリジン−４−イル］プロパン−１−オン）、ＲＳ２３５９７−１９０（３−（ピペリジン−１−イル）プロピル４−アミノ−５−クロロ−２−メトキシベンゾエート）、ＳＢ２０３１８６（１−ピペリジニルエチル−１Ｈ−インドール−３−カルボン酸）、ピモジド、ＩＣＩ−１１８，５５１（（±）−１−［２，３−（ジヒドロ−７−メチル−１Ｈ−インデン−４−イル）オキシ］−３−［（１−メチルエチル）アミノ］−２−ブタノール）、ベタキソロール、から成る群から選ばれる、請求項４記載の皮膚バリアー機能回復促進剤。
【請求項８】
皮膚バリアー機能回復活促進化合物をスクリーニングする方法であって、皮膚バリアー機能回復活促進化合物の候補となる化合物を哺乳動物細胞に作用させ、しかる後に当該細胞内ｃＡＭＰ濃度を測定し、当該細胞内ｃＡＭＰ濃度を低下させる化合物を皮膚バリアー機能回復活促進化合物として選定することを含んで成る方法。
【請求項９】
肌改善方法であって、皮膚に細胞内ｃＡＭＰの産生を抑制する化合物を含有する皮膚外用剤を塗布して皮膚バリアー機能を回復促進させることを特徴とする、方法。
【発明の詳細な説明】
【０００１】
【発明の属する技術分野】
本発明は、細胞内サイクリックＡＭＰ（ｃＡＭＰ）の活性又は産生を抑制する化合物を含有する皮膚バリアー機能回復促進剤及び皮膚バリアー機能回復促進活性を有する化合物のスクリーニング方法に関する。
【０００２】
【従来の技術】
種々の皮膚疾患、例えば、アトピー性皮膚炎、乾癬、接触性皮膚炎等に見られる肌荒れ症状においては、皮膚からの水分の消失が、健常な皮膚に比べて盛んであることが知られている。このいわゆる経皮水分蒸散量（ＴＥＷＬ）の増加には、皮膚内において水分の保持やバリアーとしての機能を担っていると考えられる成分の減少が関与しているものと考えられてきた。
【０００３】
従来、皮膚疾患や肌荒れに対して改善・予防効果を有する有効成分として、水分保持機能や皮膚バリアー機能を担う皮膚内成分を皮膚に補充するという観点から、ＮＭＦ（Ｎａｔｕｒａｌ  Ｍｏｉｓｔｕｒｉｚｉｎｇ  Ｆａｃｔｏｒ）としてのアミノ酸や、角質細胞間脂質としての脂質類、その他ヒアルロン酸等のムコ多糖あるいはこれらの類似物質が、安全性も高いことから、化粧料や皮膚外用剤に配合されている。
【０００４】
また、最近では、皮膚バリアー機能を担う皮膚内成分の生合成を活性化させるような特定の物質が、肌荒れに対して改善効果を有するという報告もなされている（特開平９−２９５２号公報）。
【０００５】
肌荒れ改善・予防効果を有する物質については多くの研究がなされてきたが、皮膚バリアー機能の改善若しくは回復効果を有する物質についての研究は十分ではなく、皮膚バリアー機能に対する改善効果と肌荒れ改善・予防効果との関係は明らかになっていないため、肌荒れ改善・予防効果がある物質が必ずしも皮膚バリアー機能に対する改善効果があるとは限らない。
【０００６】
一方、皮膚バリアー機能が低下すると、皮膚の皮膚機能が低下し、皮膚増殖性異常等が起こることが報告されている。特に、高齢者の場合は、低下した皮膚バリアー機能の回復には長い時間がかかり、加齢に伴う皮膚の皮膚機能の低下による皮膚増殖性異常等を防止するために有効な新規の皮膚バリアー機能回復促進剤に開発が要望されていた。
【０００７】
ところで、哺乳動物の皮膚細胞表層にも、神経細胞表層において認められる各種神経細胞受容体と同等のものが存在することが近年見出されている（Ｇｅｎｅｖｅｒ，ｅｔ．ａｌ．  Ｔｈｅ  Ｊｏｕｒｎａｌ  ｏｆ  Ｉｎｖｅｓｔｉｇａｔｉｖｅ  Ｄｅｒｍａｔｏｌｏｇｙ  （１９９９），  Ｖｏｌ．１１２，  ｐｐ．３３７−３４１）。神経細胞の化学的シナプスにおける情報伝達を担う神経細胞におけるこのような興奮性受容体及び抑制性受容体の作用機序についてはかなり解明されるに至っているが、皮膚細胞におけるそれらの働きについてはほとんど研究されていなかった。
【０００８】
本発明者は以前に興奮性細胞受容体のアンタゴニスト又は抑制性細胞受容体のアゴニストが皮膚バリアー機能回復促進に有効であることを見出し、かかるアンタゴニスト又はアゴニストを含有する皮膚バリアー機能回復促進剤に関する特許出願も提出されている（特願２００２−１１９３６１）。興奮性細胞受容体のアンタゴニスト又は抑制性細胞受容体のアゴニストは細胞のイオンチャネルの開閉を担い、細胞内塩素イオンの流入や細胞外へのカルシウム、ナトリウムイオンの流出が皮膚バリアー機能の回復に関与するものと考えられている。
【０００９】
神経細胞内のシグナル分子の活性化の引き金の一つと考えられている代謝型受容体も細胞のイオンチャネルの開閉に関与する（脳神経の科学Ｉ（岩波書店）１９９８）。代謝型受容体は細胞質側でＧＴＰ結合タンパク質（Ｇタンパク質）と連携しており、Ｇタンパク質連携受容体とも呼ばれる。Ｇタンパク質はα、β、γのサブユニットから成り、リガンド（例えばこの受容体がβ−アドレナリン受容体なら、アドレナリン）が受容体に結合するとαサブユニットと結合していたＧＤＰがＧＴＰに置換されて分離し、この分離したα−ＧＴＰがアデニル酸シクラーゼを活性化し、その結果ｃＡＭＰが産生される。ｃＡＭＰはイオンチャネルに作用し、細胞内へのＣａ２＋の流入を引き起こし、細胞内Ｃａ２＋のレベルを上昇させる。
【非特許文献１】
Ｇｅｎｅｖｅｒ，  ｅｔ．ａｌ．  Ｔｈｅ  Ｊｏｕｒｎａｌ  ｏｆ  Ｉｎｖｅｓｔｉｇａｔｉｖｅ  Ｄｅｒｍａｔｏｌｏｇｙ  （１９９９），  Ｖｏｌ．１１２，  ｐｐ．３３７−３４１
【００１０】
【発明が解決しようとする課題】
本発明者は、ｃＡＭＰが細胞内Ｃａ２＋のレベルを上昇させる働きを有することから、ｃＡＭＰの活性や産生の抑制が皮膚バリアー機能の回復、促進につながり、新たな機構に基づく皮膚バリアー機能回復促進剤の開発が可能であるかを検討した。
【００１１】
【課題を解決するための手段】
その結果、本発明者は、細胞内ｃＡＭＰの活性又はその産生を抑制する化合物が皮膚バリアー機能回復促進に有効であることを見出した。
【００１２】
従って、本発明は、第一の態様において、細胞内ｃＡＭＰの活性又はその産生を抑制する化合物を含有することを特徴とする、皮膚バリアー機能回復促進剤を提供する。
【００１３】
好ましくは、この細胞内ｃＡＭＰの活性を抑制する化合物はｃＡＭＰアンタゴニストである。このｃＡＭＰアンタゴニストは例えばｃＡＭＰ  Ｒｐ（（Ｒ）−アデノシン，サイクリック３′，５′−（ハイドロジェンホスホロチオエート）トリエチルアンモニウム）であってよい。
【００１４】
前記ｃＡＭＰの産生を抑制する化合物はメラトニン受容体、ドーパミン受容体２、３及び４型、セロトニン受容体５−ＨＴ１、ムスカリン受容体２及び４型、カンナビノイド受容体、代謝型グルタミン酸受容体２及び３型並びにオピオイド受容体から成る群から選ばれるＧタンパク質連携受容体のアゴニストであってもよい。
【００１５】
好ましくは、前記アゴニストはメラトニン（Ｎ−アセチル−５−メトキシトリプタミン）、ブロモクリプチン（（５′α）−２−ブロモ−１２′−ヒドロキシ−２′−（１−メチルエチル）−５′−（２−メチルプロピル）エルゴタマン−３′，６′−１８−トリオンメシレート）、（−）−キンピロール塩酸塩（（４ａＲ−ｔｒａｎｓ）−４，４ａ，５，６，７，８，８ａ，９−オクタヒドロ−５−プロピル−１Ｈ−ピラゾロ［３，４−ｇ］キノリン塩酸塩）、（＋）−ＰＤ１２８９０７（（Ｓ）−（＋）−（４ａＲ，１０ｂＲ）−３，４，４ａ，１０ｂ−テトラヒドロ−４−プロピル−２Ｈ，５Ｈ−［１］ベンゾピラノ−［４，３−ｂ］−１，４−オキサジン−９−オール）、ＰＤ１６８０７７（Ｎ−（メチル−４−（２−シアノフェニル）ピペラジニル−３−メチルベンズアミド）、（Ｒ）−（＋）−８−ヒドロキシＤＰＡＴ（（２Ｒ）−（＋）−８−ヒドロキシ−２−（ジ−ｎ−プロピルアミノ）テトラリン）、８−ヒドロキシＰＩＰＡＴ（（ＲＳ）−ｔｒａｎｓ−８−ヒドロキシ−２−［Ｎ−ｎ−プロピル−Ｎ−（３′−ヨード−２′プロペニル）アミノ］テトラリン）、ＭＤＬ７３００５ＥＦ（８−［２−（１，４−ベンゾジオキサン−２−イルメチルアミノ）エチル］−８−アザスピロ［４，５］デカン−７，９−ジオン）、ＢＰ−５５４（１−［３−（３，４−メチレンジオキシフェノキシ）プロピル］−４−フェニル−ピペラジン）、５−カルボキシアミドトリプタミン、アセクリジン、オキソトレモリン、ＡＣＥＡ（アラキドニル−２′−クロロエチルアミドＮ−（２−クロロエチル）−５Ｚ，８Ｚ，１１Ｚ，１４Ｚ−エイコサテトラエナミド）、ＡＣＰＡ（アラキドニルシクロプロピルアミドＮ−（シクロプロピル）−５Ｚ，８Ｚ，１１Ｚ，１４Ｚ−エイコサテトラエナミド）、ＣＰ５５９４０（（−）−ｃｉｓ−３−［２−ヒドロキシ−４−（１，１−ジメチルヘプチル）フェニル］−ｔｒａｎｓ−４−（３−ヒドロキシプロピル）シクロヘキサノール）、ＨＵ２１０（（６ａＲ）−ｔｒａｎｓ−３−（１，１−ジメチルヘプチル）−６ａ，７，１０，１０ａ−テトラヒドロ−１−ヒドロキシ−６，６−ジメチル−６Ｈ−ジベンゾ［ｂ，ｄ］ピラン−９−メタノール）、ＤＣＧ−ＩＶ（（２Ｓ，２′Ｒ，３′Ｒ）−２−（２′，３′−ジカルボキシシクロプロピル）グリシン）、Ｌ−ＣＣＧ−Ｉ（（２Ｓ，１′Ｓ，２′Ｓ）−２−（カルボキシシクロプロピル）グリシン、Ｌ−ＡＰ４（Ｌ−（＋）−２−アミノ−４−ホスホノ酪酸）、（Ｓ）−３，４−ＤＣＰＧ（（Ｓ）−３，４−ジカルボキシフェニルグリシン）、エンドモルフィン、ＤＡＭＧＯ（［Ｄ−Ａｌａ２  ＮＭｅ−Ｐｈｅ４  ，Ｇｌｙ−ｏｌ５  ］−エンケファリンＤＡＧＯ）、ＳＮＣ８０（（＋）−４−［（αＲ）−α−（（２Ｓ，５Ｒ）−４−アリル−２，５−ジメチル−１−ピペラジニル）−３−メトキシベンジル］−Ｎ，Ｎ−ジエチルベンズアミド）、Ｕ−５０４８８（ｔｒａｎｓ−（±）−３，４−ジクロロ−Ｎ−メチル−Ｎ−［２−（１−ピロリジニル）シクロヘキシル］ベンゼンアセトアミド）、ＳＢ２０５６０７（２−メチル−４ａａ−（３−ヒドロキシフェニル）−１，２，３，４，４ａ，５，１２，１２ａα−オクタヒドロキノ��ノ［２，３，３−ｇ］イソキノリン）、ＢＲＬ−５２５３７（（±）−１−（３，４−ジクロロフェニル）アセチル−２−（１−ピロリジニル）メチルピペリジン）から成る群から選ばれる。
【００１６】
さらには、前記ｃＡＭＰの産生を抑制する化合物はドーパミン受容体１及び５型、セロトニン受容体５−ＨＴ４及び５−ＨＴ７、アドレナリン受容体β型から成る群から選ばれるＧタンパク質連携受容体のアンタゴニストであってもよい。
【００１７】
好ましくは、前記アンタゴニストは
ＳＣＨ２３３９０（（Ｒ）−（＋）−７−クロロ−８−ヒドロキシ−３−メチル−１−フェニル−２，３，４，５−テトラヒドロ−１Ｈ−３−ベンズアゼピン）、ＣＹ２０８−２４３（（−）−（６ａＲ，１２ｂＲ）−４，６，６ａ，７，８，１２ｂ−ヘキサヒドロ−７−メチルインドロ［４，３−ａ］フェナンスリジン）、ＧＲ１１３８０８（１−メチル−１Ｈ−インドール−３−カルボン酸，［１−［２−［（メチルスルホニル）アミノ］エチル］−４−ピペリジニル］メチルエステル）、ＲＳ３９６０４（１−［４−アミノ−５−クロロ−２−（３，５−ジメトキシフェニル）メチルオキシ］−３−［１−［２−メチルスルホニルアミノ］エチル］ピペリジン−４−イル］プロパン−１−オン）、ＲＳ２３５９７−１９０（３−（ピペリジン−１−イル）プロピル４−アミノ−５−クロロ−２−メトキシベンゾエート）、ＳＢ２０３１８６（１−ピペリジニルエチル−１Ｈ−インドール−３−カルボン酸）、ピモジド、ＩＣＩ−１１８，５５１（（±）−１−［２，３−（ジヒドロ−７−メチル−１Ｈ−インデン−４−イル）オキシ］−３−［（１−メチルエチル）アミノ］−２−ブタノール）、ベタキソロール、から成る群から選ばれる。
【００１８】
第二の態様において、本発明は皮膚バリアー機能回復活促進化合物をスクリーニングする方法であって、皮膚バリアー機能回復活促進化合物の候補となる化合物を哺乳動物細胞に作用させ、しかる後に当該細胞内ｃＡＭＰ濃度を測定し、当該細胞内ｃＡＭＰ濃度を低下させる化合物を皮膚バリアー機能回復活促進化合物として選定することを含んで成る方法を提供する。
【００１９】
第三の態様において、本発明は肌改善方法であって、皮膚に細胞内ｃＡＭＰの産生を抑制する化合物を含有する皮膚外用剤を塗布して皮膚バリアー機能を回復促進させることを特徴とする方法を提供する。
【００２０】
【発明の実施の形態】
ｃＡＭＰ（サイクリックアデノシン３’，５’−一リン酸；環状ＡＭＰ）はアドレナリンやグルカゴンなどの血糖上昇ホルモンがグリコーゲンホスホリラーゼの活性化に作用する際の媒介因子として働き、また種々の外界情報を標的細胞内に伝達するメッセンジャーを担う。副腎皮質刺激ホルモン、黄体形成ホルモン等各種ホルモンやプロスタグランジン等の生理活性物質がｃＡＭＰを増加させる。ｃＡＭＰは、生体内では膜に局在するアデニル酸シクラーゼによってＡＴＰから合成される。冒頭においても述べたとおり、細胞表層上のＧタンパク質連携受容体もｃＡＭＰの生産に関与する。即ち、その受容体のリガンドが受容体に結合するとＧ−タンパク質を構成するαサブユニットと結合していたＧＤＰがＧＴＰに置換されて分離し、この分離したα−ＧＴＰがアデニル酸シクラーゼを活性化し、その結果ｃＡＭＰが産生される。ｃＡＭＰはイオンチャネルに作用し、細胞内へのＣａ２＋の流入を引き起こし、細胞内Ｃａ２＋のレベルを上昇させる。尚、ｃＡＭＰはプロテインキナーゼＡを活性化し、プロテインキナーゼＡがイオンチャネルに作用もする。ＡＭＰはホスホジエステラーゼによって５’−ＡＭＰへと分解される。
【００２１】
本発明は、細胞内ｃＡＭＰの活性又はその産生を抑制する化合物が皮膚バリアー機能回復促進に有効であることの発見に基づくものである。
【００２２】
細胞内ｃＡＭＰの活性を抑制するアンタゴニストには以下の化合物が挙げられる：ｃＡＭＰ  Ｒｐ（（Ｒ）−アデノシン，サイクリック３′，５′−（ハイドロジェンホスホロチオエート）トリエチルアンモニウム），９−シクロペンチルアデニン、２′，５′−ジデオキシアデノシン、２′，５′−ジデオキシアデノシン３′−ジホスフェート、２，５′−ジデオキシアデノシン３′−モノホスフェート、ＭＤＬ−１２，３３０Ａ塩酸塩、ＳＱ２２，５３６他。
【００２３】
Ｇタンパク質連携受容体には、ｃＡＭＰの産生を抑制する受容体（Ｇｉ／Ｇｏタンパク質活性化、アデニル酸シクラーゼ活性化型受容体）と、ｃＡＭＰの産生を促進する受容体（Ｇｑタンパク質活性化、アデニル酸シクラーゼ活性化型受容体）とがある。
【００２４】
本発明において細胞内ｃＡＭＰの産生を効果的に抑制する化合物には、（１）ｃＡＭＰの産生を抑制する受容体のアゴニスト及び（２）ｃＡＭＰの産生を促進する受容体のアンタゴニストが挙げられる。（１）のアゴニストは対応の受容体に結合することで受容体を活性化し、ひいてはカルシウムイオンの細胞内流入を抑え、その結果ｃＡＭＰの産生を抑える働きを有する。他方、（２）のアンタゴニストは、対応の受容体に結合するなどしてその受容体の活性化を抑え、ｃＡＭＰの産生を結果として抑える働きを有する。
【００２５】
ｃＡＭＰの産生を抑制する受容体の例には、メラトニン受容体；ドーパミン受容体２、３及び４型；セロトニン受容体５−ＨＴ１；ムスカリン受容体２及び４型；カンナビノイド受容体；代謝型グルタミン酸受容体２及び３型；並びにオピオイド受容体等がある。そして、これらの受容体のアゴニスト、即ちこれらの受容体に結合し、その結果ｃＡＭＰの産生を抑制する働きを有するアゴニストには以下の化合物が挙げられる：
【００２６】
・メラトニン受容体のアゴニスト：メラトニン；
・ドーパミン受容体２、３及び４型のアゴニスト：ブロモクリプチン、−）−キンピロール塩酸塩、（＋）−ＰＤ１２８９０７、ＰＤ１６８０７７；
・セロトニン受容体５−ＨＴ１のアゴニスト：（Ｒ）−（＋）−８−ヒドロキシＤＰＡＴ、８−ヒドロキシＰＩＰＡＴ、ＭＤＬ７３００５ＥＦ、ＢＰ−５５４、５−カルボキシアミドトリプタミン；
・ムスカリン受容体２及び４型のアゴニスト：アセクリジン、オキソトレモリン；
・カンナビノイド受容体のアゴニスト：ＡＣＥＡ、ＡＣＰＡ、ＣＰ５５９４０、ＨＵ２１０、
・代謝型グルタミン酸受容体２及び３型のアゴニスト：ＤＣＧ−ＩＶ、Ｌ−ＣＣＧ−Ｉ、Ｌ−ＡＰ４、（Ｓ）−３，４−ＤＣＰＧ；
・オピオイド受容体のアゴニスト：エンドモルフィン、ＤＡＭＧＯ、ＳＮＣ８０、Ｕ−５０４８８、ＳＢ２０５６０７、ＢＲＬ−５２５３７
【００２７】
ｃＡＭＰの産生を促進する受容体の例にはドーパミン受容体１及び５型、セロトニン受容体５−ＨＴ４及び５−ＨＴ７、アドレナリン受容体β型が挙げられる。そして、これらの受容体のアンタゴニスト、即ちこれらの受容体に結合等し、その結果ｃＡＭＰの産生を抑制する働きを有するアンタゴニストには以下の化合物が挙げられる：
【００２８】
・ドーパミン受容体１及び５型受容体のアンタゴニスト：ＳＣＨ２３３９０、ＣＹ２０８−２４３；、
・セロトニン受容体５−ＨＴ４及び５−ＨＴ７受容体のアンタゴニスト：ＧＲ１１３８０８、ＲＳ３９６０４、ＲＳ２３５９７−１９０、ＳＢ２０３１８６、ピモジド；
・アドレナリン受容体β型のアンタゴニスト：ＩＣＩ−１１８，５５１、ベタキソロール
【００２９】
本発明は、上記Ｇタンパク質連携受容体、そのアンタゴニスト又はアゴニストに限定されず、その他のＧタンパク質連携受容体、そのアンタゴニスト又はアゴニスト、並びに将来その存在が見出されるＧタンパク質連携受容体、そのアンタゴニスト又はアゴニストにも及ぶものと理解されるべきである。
【００３０】
皮膚バリアー機能回復促進効果試験
本発明において、皮膚バリアー機能回復促進効果は様々な方法で評価することができ、例えば、哺乳動物（例えばヒト、マウス、ラット、ウサギ等）の皮膚にテープストリッピングを施すことによって破壊された皮膚バリアー機能がもとの状態へ回復していく過程を経皮水分蒸散量（ＴＥＷＬ）を指標として評価することにより、定量的又は定性的に測定することができる。かかる測定は、例えば下記の通りにして実施することができる。
【００３１】
１．水分蒸散量測定装置によりヘアレスマウス背部付近の経皮水分蒸散量（ＴＥＷＬ）を測定する。この際の値をＴＥＷＬの回復率１００％とする。
２．皮膚のバリアーを、セロファンテープ等を使用し、ヘアレスマウスの表皮角層を剥がすことにより破壊する。このときＴＥＷＬの値が約８００〜９００となるまでこの作業を繰り返すのが好ましい。角層を剥がした後の測定値から角層を剥がす前の測定値を差し引いた値を、最もダメージの深い状態、即ち回復率０％とする。
３．試験試料を適宜の濃度（例えば１ｍＭ）で適量（例えば１００μｌ）にて適当な基材、例えばプラスチックラップの上に載せ、哺乳動物の背部に貼付し、適当な時間（例えば５分）経過後、それを剥がす。
４．適当な時間（例えば０、２、４、６時間）経過後、水分蒸散量測定装置によりＴＥＷＬを測定する。角層除去時と同様、各時間の測定値から角層除去前のＴＥＷＬ値を差し引き、回復率を算出する。
即ち、回復率は下記の式に従いもとめることができる：
【数１】
2004175687.tif 000002
【００３２】
本発明において、「皮膚バリアー機能の回復を促進する」とは、皮膚のテープストリッピング直後の経皮水分蒸散量（ＴＥＷＬ）の値を０％、テープストリッピング前の値を１００％として、各測定時間におけるＴＥＷＬの値が、コントロールと比較した場合に明らかに有意差が認められ、ＴＥＷＬ回復率を促進させる効果を有することを意味し、Ａｎｄｒｅｗらの方法（Ｊ  Ｉｎｖｅｓｔ  Ｄｅｒｍａｔｏｌ，８６；５９８，１９８６）に従って、４％のドデシル硫酸ナトリウム（ＳＤＳ）水溶液をしみ込ませたＣｏｔｔｏｎ  ｂａｌｌにより皮膚を処理して判定を行ういわゆる肌荒れ改善防止効果とは異なる。
【００３３】
皮膚厚み測定試験
皮膚バリアー機能回復促進効果は皮膚の厚みの測定に基づき行なうこともできる。皮膚に乾燥刺激を与えると皮膚組織が損傷して皮膚バリアー機能が低下し、その結果表皮細胞の増殖異常により皮膚の厚みが増大する。従って、皮膚のバリアー機能の低下は皮膚の厚みの組織学的観察により測定することができる。かかる組織学的観察は、例えば次のようにして実施してよい。哺乳動物、好ましくはヘアレスマウスを乾燥条件、例えば室温、湿度１０％以下の環境にて前もって飼育し、ＴＥＷＬが所望の程度、例えば２．５〜３．５ｍｇ／ｃｍ２／ｈ程度になるまでアセトンを用いて皮膚のバリアーを破壊する。次に、被験物質をその処置皮膚に滴下し、しかる後に上記環境下にて適当な時間飼育して乾燥刺激を与えた後、処置した部分の皮膚を採取し、そしてその皮膚試料を染色等して顕微鏡観察により表皮の厚みを計測する。
【００３４】
本発明に係るｃＡＭＰの活性又はその産生を抑制する化合物は皮膚バリアー機能を回復促進させることで、乾燥刺激により惹起される表皮増殖異常を有意に抑制し、さらには皮膚の厚みを減少させることさえもできる。
【００３５】
スクリーニング方法
皮膚バリアー機能回復促進化合物をスクリーニングする方法は、ｃＡＭＰの活性又はその産生を抑制する化合物の候補となる化合物を選定し、当該化合物を哺乳動物の皮膚に塗布して当該皮膚の経皮水分蒸散量を減少させる化合物を選定することにより実施できる。
【００３６】
このようにして選定されたｃＡＭＰの活性又はその産生を抑制する化合物の候補となる化合物を上述の皮膚バリアー機能回復促進効果試験にかけ、経皮水分蒸散量を減少させる化合物又は乾燥刺激を受けた当該皮膚の厚みを減少させるもしくはその増大を抑制する化合物を選定することにより、ｃＡＭＰの活性又はその産生を抑制する化合物をスクリーニングすることができる。
【００３７】
本発明の皮膚バリアー機能回復促進化合物、即ち、ｃＡＭＰの活性又はその産生を抑制する化合物は、例えば、軟膏、クリーム、乳液、ローション、パック、浴用剤等の化粧料、医薬品、医薬部外品に配合されて、好ましくは皮膚外用剤として皮膚に適用することが出来る。その配合量は特に制限がないが、これらの基剤全量に基づき０．００１ｍＭ〜１Ｍ、好ましくは０．０１〜１００ｍＭ、より好ましくは０．１〜１０ｍＭ程度であろう。
【００３８】
【実施例】
皮膚バリアー機能回復促進効果試験方法
以降の各実験において、皮膚バリアー機能回復促進効果は、ヘアレスマウス（Ｔｙｐｅ  ＨＲ−１，  ＨＯＳＨＩＮＯ，  Ｊａｐａｎ）の皮膚にテープストリッピングを施すことによって破壊された皮膚バリアー機能がもとの状態へ回復していく過程を経皮水分蒸散量（ＴＥＷＬ）を指標とし、以下の通り評価した。
【００３９】
１．水分蒸散量測定装置ＭＥＥＣＯ（Ｍｅｅｃｏ社製，  Ｗａｒｒｉｎｇｔｏｎ，  ＰＡ，  ＵＳＡ）によりヘアレスマウス背部付近の経皮水分蒸散量（ＴＥＷＬ）を測定する。この際の値をＴＥＷＬの回復率１００％とする。
【００４０】
２．皮膚のバリアーを、セロファンテープを使用し、ヘアレスマウスの表皮角層を剥がすことにより破壊する。このときＴＥＷＬの値が約８００〜９００となるまでこの作業を繰り返す。角層を剥がした後の測定値から角層を剥がす前の測定値を差し引いた値を、最もダメージの深い状態、即ち回復率０％とする。
【００４１】
３．試験試料を１００μｌにてプラスチックラップの上に載せ、背部に貼付し、５分後、それを剥がす。
【００４２】
４．０、２、４、６又は０、１、３、６時間経過後、ＭＥＥＣＯによりＴＥＷＬを測定する。角層除去時と同様、各時間の測定値から角層除去前のＴＥＷＬ値を差し引き、回復率をもとめる。
即ち、回復率は下記の式に従い算出する：
【数２】
2004175687.tif 000003
【００４３】
実施例１
ｃＡＭＰと皮膚バリアー機能回復との関係の検討
実験１
フォルスコリンはアデニル酸シクラーゼの触媒ユニットを直接活性化して細胞内ｃＡＭＰ濃度を上昇させる働きを有することが知られている。
フォルスコリン（トクリス社）の水溶液（１ｍＭ）を上記試験方法に記載の通りにしてヘアレスマウスの表皮に塗布し、ＴＥＷＬ試験を行った。その結果を図１に示す。対照として、水のみを塗布した試験（コントロール）及びフォルスコリンとカルシウムチャネル阻害剤、ベラパミル（トクリス社）との混合水溶液を塗布した試験（フォルスコリン＋ベラパミル）（各１ｍＭ）の結果も示す。
【００４４】
コントロールの結果との比較により明らかな通り、フォルスコリンの塗布により皮膚バリアーの機能回復は阻害された。また、このフォルスコリンのバリアー機能回復阻害効果はベラパミルにより中和されることがわかる。ベラパミルはカルシウムチャネルを阻害して細胞内へのカルシウムイオンの流入を抑える働きがある。従って、フォルスコリンによる皮膚バリアー機能の回復の阻害は、ｃＡＭＰの産生の上昇に伴う細胞内カルシウムイオン濃度の上昇を誘導するフォルスコリンの作用によるものと示唆された。
【００４５】
実験２
次に、ｃＡＭＰの活性を抑制するｃＡＭＰアンタゴニスト（ｃＡＭＰＲｐ）
（トクリス社）（１ｍＭ）の水溶液を上記試験方法に記載の通りにしてヘアレスマウスの表皮に塗布し、ＴＥＷＬ試験を行った。その結果を図２に示す。対照として、水のみを塗布した試験（コントロール）及びフォルスコリン（１ｍＭ）を塗布した試験（フォルスコリン）の結果も示す。
コントロールやフォルスコリンの結果との比較により明らかなとおり、ｃＡＭＰアンタゴニストを塗布すると皮膚のバリアー機能回復は有意に促進された。実験１の結果を合わせると、ｃＡＭＰの活性を抑制して細胞内へのカルシウムイオンの流入を抑えることで、皮膚のバリアー機能の回復を有意に促進させることができることが明らかとなった。従って、ｃＡＭＰの活性を抑制すれば、皮膚バリアー機能の回復を促進させることができることがわかる。
【００４６】
実験３
ｃＡＭＰの活性の抑制による皮膚バリアー機能の回復促進を組織学的観察により確認した。
詳しくは、ヘアレスマウスを温度２２〜２５℃、湿度１０％以下の環境にて前もって飼育し、ＴＥＷＬが２．５〜３．５ｍｇ／ｃｍ２／ｈになるまでアセトンを用いてヘアレスマウス背部皮膚のバリアーを破壊し、次いでｃＡＭＰアンタゴニストＣＡＭＰＲｐ（１ｍＭ）の水溶液を２００μｌ皮膚に滴下し、しかる後に上記環境下にて４８時間飼育して乾燥刺激を与えた後、処置した部分の皮膚を採取した。４％のパラフォルムアルデヒドで固定後、パラフィン包埋し、４μｍの切片にし、ヘマトキシリン−エオシン染色し、顕微鏡観察した。その結果を図３（Ａ）に示す。コントロールとして、アセトン処理の後、水のみを塗布した実験も行った（Ｂ）。
【００４７】
図中、白い層状の部分が脂質層である。脂質層は角質層の主要構成成分であり、皮膚バリアー機能を司る（Ｅｌｌｉａｓ  Ｐ．  Ｍ．  ｅｔ  ａｌ，  Ｓｋｉｎ  Ｐｈａｒｍａｃｏｌ．  Ａｐｐｌ．  ＳｋｉｎＰｈｙｓｉｏｌ．  １４：  Ｓ２８−３４，  ２００１）。コントロールと比べ、ｃＡＭＰアンタゴニストで処置した場合の方が明らかに脂質層の増大が認められることから、ｃＡＭＰアンタゴニスト処置により皮膚バリアー機能が回復することが組織学的観察によっても明らかにされた。
【００４８】
実施例２
ｃＡＭＰの産生を抑制するＧタンパク質連携受容体と皮膚バリアー機能との関係の検討
実験１
ｃＡＭＰの産生を抑制するＧタンパク質連携受容体であるメラトニン受容体及びセロトニン受容体５−ＨＴ１のそれぞれのアゴニスト、メラトニン（トクリス社）（１ｍＭ）及びセロトニン５−ＨＴ１（トクリス社）（１ｍＭ）の水溶液をそれぞれ上記試験方法に記載の通りにしてヘアレスマウスの表皮に塗布し、ＴＥＷＬ試験を行った。その結果を図４に示す。対照として、水のみを塗布した試験（コントロール）の結果も示す。
【００４９】
コントロールの結果との比較により明らかな通り、メラトニン又はセロトニン５−ＨＴ１の塗布により皮膚バリアーの機能回復は有意に促進された。
【００５０】
実験２
ｃＡＭＰの産生を抑制するＧタンパク質連携受容体であるドーパミン受容体２，３型のアゴニスト、ブロモクリプチン（トクリス社）（１０μＭ）及びこの受容体のアンタゴニスト、Ｌ−７４１，６２６（トクリス社）（１ｍＭ）の水溶液をそれぞれ上記試験方法に記載の通りにしてヘアレスマウスの表皮に塗布し、ＴＥＷＬ試験を行った。その結果を図５に示す。対照として、エタノールのみを塗布した試験の結果（１％又は１０％ＥｔＯＨ）も示す。
【００５１】
エタノールの結果との比較により明らかな通り、ドーパミン受容体２型のアゴニスト、ブロモクリプチンの塗布により皮膚バリアーの機能回復は有意に促進されるが（Ａ）、アンタゴニスト、Ｌ−７４１，６２６の塗布では皮膚バリアーの機能回復は阻害された（Ｂ）。
【００５２】
実験３
ｃＡＭＰの産生を抑制するＧタンパク質連携受容体である代謝型グルタミン酸受容体のアゴニスト、Ｌ−ＣＣＧ−１（トクリス社）（１０μＭ）、並びにこの受容体のアンタゴニスト、ＥＧＬＵ（トクリス社）（１０μＭ）及びＭＣＰＧ（トクリス社）（１０μＭ）をそれぞれ上記試験方法に記載の通りにしてヘアレスマウスの表皮に塗布し、ＴＥＷＬ試験を行った。その結果を図６に示す。対照として、水のみを塗布した試験（コントロール）の結果も示す。
【００５３】
コントロールの結果との比較により明らかな通り、代謝型グルタミン酸受容体のアゴニスト、Ｌ−ＣＣＧ−１の塗布により皮膚バリアーの機能回復は促進されるが、アンタゴニスト、ＥＧＬＵ及びＭＣＰＧの塗布ではコントロールの結果と有意差がなく、皮膚バリアーの機能回復促進は認められなかった。
【００５４】
実験１〜３の結果から、ｃＡＭＰの産生を抑制するＧタンパク質連携受容体のアゴニストが皮膚バリアーの機能の回復促進効果を有することが明らかである。
【００５５】
実施例３
ｃＡＭＰの産生を促進するＧタンパク質連携受容体と皮膚バリアー機能との関係の検討
ｃＡＭＰの産生を促進するＧタンパク質連携受容体であるドーパミン受容体１，５型のアンタゴニスト、ＳＣＨ２３３９０（トクリス社）（１ｍＭ）及びこの受容体のアゴニスト、ＳＫＦ３８３９３（トクリス社）（１ｍＭ）の水溶液をそれぞれ上記試験方法に記載の通りにしてヘアレスマウスの表皮に塗布し、ＴＥＷＬ試験を行った。その結果を図７に示す。対照として、水のみを塗布した試験（水）及びエタノールのみを塗布した試験（ＥｔＯＨ）の結果も示す。
水やエタノールの結果との比較により明らかな通り、ドーパミン受容体１，５型のアンタゴニスト、ＳＣＨ２３３９０の塗布により皮膚バリアーの機能回復は有意に促進されるが、アゴニスト、ＳＫＦ３８３９３の塗布では皮膚バリアーの機能回復は阻害された。
【００５６】
この結果から、ｃＡＭＰの産生を促進するＧタンパク質連携受容体のアンタゴニストが皮膚バリアーの機能の回復促進効果を有することが明らかである。
【００５７】
実施例４
皮膚厚み測定試験
前述の通り、皮膚に乾燥刺激を与えると皮膚組織が損傷して皮膚バリアー機能が低下し、その結果表皮増殖異常により皮膚の厚みが増大する。従って、ドーパミン受容体２，３型のアゴニスト、ブロモクリプチン（トクリス社）（１ｍＭ）及びこの受容体のアンタゴニスト、Ｌ−７４１，６２６（トクリス社）（１ｍＭ）の水溶液の皮膚の厚みに対する効果を組織学的観察した。
【００５８】
ヘアレスマウスを温度２２〜２５℃、湿度１０％以下の環境にて前もって飼育した。ＴＥＷＬが２．５〜３．５ｍｇ／ｃｍ２／ｈになるまでアセトンを用いてヘアレスマウス背部皮膚のバリアーを破壊した。次いでブロモクリプチン（Ｂ．Ｃ）の水溶液、Ｌ−７４１，６２６（Ｌ）の水溶液をそれぞれ２００μｌ皮膚に滴下し、しかる後に上記環境下にて４８時間飼育して乾燥刺激を与えた後、処置した部分の皮膚を採取した。対照として、未処置（コントロール）、水のみを塗布（水）、ブロモクリプチンとＬ−７４１，６２６との混合水溶液（各１ｍＭ）を塗布（Ｌ＋Ｂ．Ｃ．）する実験も行った。パラフォルムアルデヒドで固定後、パラフィン包埋し、４μｍの切片にし、ヘマトキシリン−エオシン染色し、顕微鏡にて表皮の厚みを計測した。その結果を図８に示す。
【００５９】
水やドーパミン受容体２，３型のアンタゴニストＬ−７４１，６２６（Ｌ）で処置すると、未処置の場合（コントロール）と比べ、皮膚の厚みが有意に増大し、乾燥刺激により惹起される表皮増殖異常が有意に促進された。そして、この受容体のアゴニスト、ブロモクリプチンで処置した場合（Ｂ．Ｃ．）では、皮膚の厚みは未処置の場合（コントロール）との差がほとんどなく（有意差なし）、乾燥刺激を受けた皮膚のバリアー機能の回復が促進されているのが明らかにされた。また、アゴニスト（ブロモクリプチン）にアンタゴニスト（Ｌ−７４１，６２６）を混合すると皮膚の厚みは水を塗布した場合と同程度にまで増大し（Ｌ＋Ｂ．Ｃ．）、アゴニストによる表皮増殖異常抑制効果が解消されてしまうこともわかる。
【００６０】
【発明の効果】
以上の結果から、ｃＡＭＰの活性又は生産を抑制することで皮膚バリアー機能の回復を促進させることができ、またｃＡＭＰの産生を抑制するＧタンパク質連携受容体のアゴニスト及びｃＡＭＰの産生を促進するＧタンパク質連携受容体のアンタゴニストが皮膚バリアー機能の回復促進に有効であることが明らかにされた。本願発明に従うと、新規且つ有効な皮膚バリアー機能回復促進剤が提供される。
【図面の簡単な説明】
【図１】フォルスコリンと皮膚バリアー機能との関係。
【図２】ｃＡＭＰアンタゴニストと皮膚バリアー機能回復との関係。
【図３】ｃＡＭＰアンタゴニストが皮膚バリアー機能の回復を促進することを示す、図面に代わる組織学的観察写真。（Ａ）はｃＡＭＰアンタゴニストで処理した場合、（Ｂ）はコントロールである。
【図４】ｃＡＭＰの産生を抑制するＧタンパク質連携受容体のアゴニスト、メラトニン（Ａ）及び５−ＨＴ１Ａ（Ｂ）が皮膚バリアー機能の回復を促進することを示す図。
【図５】ｃＡＭＰの産生を抑制するＧタンパク質連携受容体（ドーパミン受容体２，３型）のアゴニスト、ブロモクリプチンが皮膚バリアー機能の回復を促進し（Ａ）、この受容体のアンタゴニスト、Ｌ−７４１，６２６が皮膚バリアー機能の回復を遅延させる（Ｂ）ことを示す図。
【図６】ｃＡＭＰの産生を抑制するＧタンパク質連携受容体（代謝型グルタミン酸受容体）のアゴニスト、Ｃ−ＣＣＧ−１が皮膚バリアー機能の回復を促進し、この受容体のアンタゴニスト、ＥＧＬＵ及びＭＣＰＧが皮膚バリアー機能の回復を遅延させることを示す図。
【図７】ｃＡＭＰの産生を促進するＧタンパク質連携受容体（ドーパミン受容体１，５型）のアンタゴニスト、ＳＣＨ２３３９０が皮膚バリアー機能の回復を促進し、この受容体のアゴニスト、ＳＫＦ３８３９３が皮膚バリアー機能の回復を遅延させることを示す図。
【図８】ｃＡＭＰの産生を抑制するＧタンパク質連携受容体（ドーパミン受容体２，３型）のアゴニスト及びアンタゴニストと乾燥刺激を与えた皮膚の厚みとの関係。
【図１】
2004175687.tif 000004
【図２】
2004175687.tif 000005
【図３】
2004175687.tif 000006
【図４】
2004175687.tif 000007
【図５】
2004175687.tif 000008
【図６】
2004175687.tif 000009
【図７】
2004175687.tif 000010
【図８】
2004175687.tif 000011